(57)【要約】【課題】注目する物質が含まれているフレームを抽出すること。【解決手段】放射線撮影装置は、異なる放射線のエネルギーで撮影した放射線画像に含まれる複数の物質についての分布を示す物質識別画像を生成する生成部と、物質識別画像を構成する各フレームについて、特定の物質に関する統計情報を求め、統計情報に基づいてフレームを抽出するフレーム抽出部と、を備える。【選択図】図１
2019202078.tif 000002
【特許請求の範囲】
【請求項１】
異なる放射線のエネルギーで撮影した放射線画像に含まれる複数の物質についての分布を示す物質識別画像を生成する生成手段と、
前記物質識別画像を構成する各フレームについて、特定の物質に関する統計情報を求め、前記統計情報に基づいてフレームを抽出する抽出手段と、
を備えることを特徴とする放射線撮影装置。
【請求項２】
前記抽出手段は、前記物質識別画像を構成するフレームから、前記統計情報が一定の閾値以上含まれるフレームを抽出し、閾値以上となる一連のフレームを抽出範囲として設定することを特徴とする請求項１に記載の放射線撮影装置。
【請求項３】
前記抽出手段は、前記物質識別画像を構成するフレームのうち、前記統計情報が閾値以上となる最初のフレームと、閾値以上となる最後のフレームとにより定まる範囲を一つの抽出範囲として設定することを特徴とする請求項１に記載の放射線撮影装置。
【請求項４】
前記抽出手段は、前記物質識別画像を構成する各フレームについて、特定の物質が含まれる割合を示す前記統計情報を求め、前記統計情報が一定以上の割合となるフレームを、前記物質識別画像に基づいて生成した表示処理画像を構成するフレームから抽出した抽出画像を生成することを特徴とする請求項３に記載の放射線撮影装置。
【請求項５】
前記抽出手段は、前記抽出範囲に対応するフレームを、前記表示処理画像を構成するフレームから抽出することを特徴とする請求項４に記載の放射線撮影装置。
【請求項６】
前記複数の物質のそれぞれについて生成した前記物質識別画像に基づいて、前記表示処理画像を生成する画像生成手段を更に備えることを特徴とする請求項４または５に記載の放射線撮影装置。
【請求項７】
前記画像生成手段は、前記放射線の一つのエネルギー成分に基づいて、前記複数の物質のうち特定の物質を強調する画像を前記表示処理画像として生成することを特徴とする請求項６に記載の放射線撮影装置。
【請求項８】
前記表示処理画像には、仮想単色放射線画像が含まれることを特徴とする請求項４乃至７のいずれか１項に記載の放射線撮影装置。
【請求項９】
前記抽出手段は、前記抽出画像に基づいて、ＤＩＣＯＭ規格に基づいたＤＩＣＯＭ画像を生成することを特徴とする請求項４乃至８のいずれか１項に記載の放射線撮影装置。
【請求項１０】
前記抽出手段は、前記物質識別画像から、フレームごとに、前記放射線が照射された照射野内の物質識別画像の画素値の合計を、照射野の画素数で除算した結果を前記統計情報として取得することを特徴とする請求項１乃至９のいずれか１項に記載の放射線撮影装置。
【請求項１１】
前記抽出手段は、前記放射線画像と、前記放射線画像に対する前記物質ごとの抽出範囲を示すインデックス情報とを、組み合せて記憶手段に記憶することを特徴とする請求項１乃至１０のいずれか１項に記載の放射線撮影装置。
【請求項１２】
異なる放射線のエネルギーで撮影した放射線画像に含まれる複数の物質についての分布を示す物質識別画像を生成する生成手段と、
前記放射線画像に含まれる複数の物質の情報を表示手段に表示させ、フレームを抽出する特定の物質を指定する表示制御手段と、
前記物質識別画像を構成する各フレームについて、前記指定された特定の物質に関する統計情報を求め、前記統計情報に基づいてフレームを抽出する抽出手段と、
を備えることを特徴とする放射線撮影装置。
【請求項１３】
前記表示制御手段は、前記統計情報との比較処理で使用する閾値の設定を表示する閾値変更手段を前記表示手段に表示させ、
前記表示制御手段は、前記閾値変更手段の表示位置の変更に基づいて、設定されている閾値を変更することを特徴とする請求項１２に記載の放射線撮影装置。
【請求項１４】
前記抽出手段は、前記物質識別画像を構成する各フレームについて、前記指定された特定の物質が含まれる割合を示す前記統計情報を求め、前記統計情報が一定以上の割合となるフレームを、前記物質識別画像に基づいて生成した表示処理画像を構成するフレームから抽出した抽出画像を生成することを特徴とする請求項１３に記載の放射線撮影装置。
【請求項１５】
前記抽出手段は、前記変更された閾値に基づいて、前記統計情報との比較処理を行い、
前記統計情報が一定以上の割合となるフレームを、前記表示処理画像を構成するフレームから抽出した抽出画像を生成することを特徴とする請求項１４に記載の放射線撮影装置。
【請求項１６】
前記表示制御手段は、
前記表示処理画像を表示する画像表示エリアと、各フレームにおける前記統計情報を前記放射線画像の撮影時間に合わせてグラフ表示するタイムライン表示エリアと、を前記表示手段に表示させることを特徴とする請求項１４または１５に記載の放射線撮影装置。
【請求項１７】
前記表示制御手段は、前記グラフ表示に、前記閾値変更手段による閾値の設定表示を重ねて表示させることを特徴とする請求項１６に記載の放射線撮影装置。
【請求項１８】
前記表示制御手段は、前記グラフ表示に、前記統計情報が一定以上の割合となるフレームの抽出範囲の表示を重ねて表示させることを特徴とする請求項１６または１７に記載の放射線撮影装置。
【請求項１９】
前記表示制御手段は、前記物質の名称を示す物質名リストと、抽出対象の物質を指定する物質指定部とを、前記グラフ表示に対して並べて表示させることを特徴とする請求項１６乃至１８のいずれか１項に記載の放射線撮影装置。
【請求項２０】
前記抽出手段は、前記物質指定部で指定された物質ついて、前記フレームの抽出範囲を取得し、前記表示処理画像を構成するフレームから前記抽出範囲に対応するフレームを抽出した抽出画像を生成することを特徴とする請求項１９に記載の放射線撮影装置。
【請求項２１】
前記表示制御手段は、前記統計情報を算出するための画素範囲を指定する抽出エリア指定手段を前記表示手段に表示させ、
前記抽出手段は、前記抽出エリア指定手段で指定された画像範囲の画素値の情報に基づいて、前記統計情報を取得することを特徴とする請求項１６に記載の放射線撮影装置。
【請求項２２】
前記表示制御手段は、前記画像表示エリアに表示されている前記表示処理画像に、前記抽出エリア指定手段で指定された画素範囲を重ねて表示させることを特徴とする請求項２１に記載の放射線撮影装置。
【請求項２３】
前記抽出手段は、前記物質識別画像から、フレームごとに、前記指定された画素範囲内の物質識別画像の画素値の合計を、画素範囲の画素数で除算した結果を前記統計情報として取得することを特徴とする請求項２１または２２に記載の放射線撮影装置。
【請求項２４】
前記物質識別画像は、前記物質の実効原子番号又は面密度に基づいて生成されることを特徴とする請求項１乃至２３のいずれか１項に記載の放射線撮影装置。  
【請求項２５】
異なる放射線のエネルギーで撮影した放射線画像に含まれる複数の物質についての分布を示す物質識別画像を生成する生成手段と、
前記物質識別画像を構成する各フレームについて、特定の物質に関する統計情報を求め、前記統計情報に基づいてフレームを抽出する抽出手段と、
を備えることを特徴とする放射線撮影システム。
【請求項２６】
異なる放射線のエネルギーで撮影した放射線画像に含まれる複数の物質についての分布を示す物質識別画像を生成する生成手段と、
前記放射線画像に含まれる複数の物質の情報を表示手段に表示させ、フレームを抽出する特定の物質を指定する表示制御手段と、
前記物質識別画像を構成する各フレームについて、前記指定された特定の物質に関する統計情報を求め、前記統計情報に基づいてフレームを抽出する抽出手段と、
を備えることを特徴とする放射線撮影システム。
【請求項２７】
放射線撮影装置の放射線撮影方法であって、
異なる放射線のエネルギーで撮影した放射線画像に含まれる複数の物質についての分布を示す物質識別画像を生成する生成工程と、
前記物質識別画像を構成する各フレームについて、特定の物質に関する統計情報を求め、前記統計情報に基づいてフレームを抽出する抽出工程と、
を有することを特徴とする放射線撮影方法。
【請求項２８】
放射線撮影装置の放射線撮影方法であって、
異なる放射線のエネルギーで撮影した放射線画像に含まれる複数の物質についての分布を示す物質識別画像を生成する生成工程と、
前記放射線画像に含まれる複数の物質の情報を表示手段に表示させ、フレームを抽出する特定の物質を指定する表示制御工程と、
前記物質識別画像を構成する各フレームについて、前記指定された特定の物質に関する統計情報を求め、前記統計情報に基づいてフレームを抽出する抽出工程と、
を有することを特徴とする放射線撮影方法。
【請求項２９】
コンピュータを、請求項１乃至２３の何れか１項に記載の放射線撮影装置の各手段として機能させるためのプログラム。
【発明の詳細な説明】
【技術分野】
【０００１】
本発明は、放射線撮影装置、放射線撮影システム、放射線撮影方法及びプログラムに関する。
【背景技術】
【０００２】
一般に、動画対応の放射線撮影システムでは、保存時のデータ量を節約するために、診断に必要な部分だけを保存することが行われる。特許文献１には、放射線画像において、保存すべきフレーム（例えば、造影剤を用いる検査では、造影剤が映っているフレーム）を、特定位置の画素情報の変化をもとに、自動で抽出する技術が示されている。
【先行技術文献】
【特許文献】
【０００３】
【特許文献１】特開平１−２０９５７７号公報
【発明の概要】
【発明が解決しようとする課題】
【０００４】
しかしながら、特定位置の画素情報の変化を計測する方法では、フレームの特定位置の画素情報に着目したときに、もともと輝度が高いのか、造影剤などの注目する物質が映っているために輝度が高いのか、判別がつかない場合がある。
【０００５】
本発明は、注目する物質が含まれているフレームを抽出することが可能な技術の提供を目的とする。
【課題を解決するための手段】
【０００６】
本発明の目的を達成するために、本発明の一態様による放射線撮影装置は以下の構成を備える。すなわち、
放射線撮影装置は、異なる放射線のエネルギーで撮影した放射線画像に含まれる複数の物質についての分布を示す物質識別画像を生成する生成手段と、
前記物質識別画像を構成する各フレームについて、特定の物質に関する統計情報を求め、前記統計情報に基づいてフレームを抽出する抽出手段と、を備えることを特徴とする。
【発明の効果】
【０００７】
本発明によれば、注目する物質が含まれているフレームを抽出することが可能な技術を提供することが可能になる。
【図面の簡単な説明】
【０００８】
【図１】第１実施形態における放射線撮影システムの機能構成を例示する図。
【図２】撮影からＤＩＣＯＭ画像を生成するまでの処理の流れを示す。
【図３】（Ａ）は物質の実効原子番号を例示する図、（Ｂ）は各物質の減弱係数（質量減弱係数）と放射線のエネルギー成分との対応関係を例示する図。
【図４】第１実施形態におけるフレーム抽出処理の流れを示す図。
【図５】第１実施形態におけるフレームの抽出範囲の決定方法を説明する図。
【図６】第２実施形態におけるフレーム抽出処理の流れを示す図。
【図７】第２実施形態におけるフレームの抽出範囲の決定方法を説明する図。
【図８】第３実施形態における放射線撮影システムの機能構成を例示する図。
【図９】第３実施形態における表示制御部が表示制御を行う表示部の構成を例示する図。
【図１０】第３実施形態におけるフレーム抽出処理の流れを示す図。
【図１１】第４実施形態における表示制御部が表示制御を行うタイムライン表示エリアの構成例を示す図。
【図１２】第５実施形態における表示制御部が表示制御を行う画像表示エリアの構成例を示す図である。
【発明を実施するための形態】
【０００９】
以下、図面を参照して、本発明の実施形態を例示的に詳しく説明する。ただし、この実施形態に記載されている構成要素はあくまで例示であり、以下の個別の実施形態によって限定されるわけではない。尚、放射線には、Ｘ線の他、α線、β線、γ線、及び各種粒子線なども含まれる。
【００１０】
以下の実施形態では、放射線発生装置と、放射線撮影装置とを備え、エネルギーサブトラクション画像の生成を行うことが可能な放射線撮影システムについて説明する。以下の各実施形態の放射線撮影システムでは放射線画像の撮影として動画撮影を例として説明する。
【００１１】
［第１実施形態］
（放射線撮影システム１００の構成）
本実施形態の放射線撮影システム１００では、被検体に照射する放射線のエネルギーが異なる複数の放射線画像を処理することによって、新たな画像（例えば、被検体の筋肉などの軟部組織画像や骨などの分布を示す物質識別画像）を得るエネルギーサブトラクション法を用いることが可能である。
【００１２】
図１は、第１実施形態における放射線撮影システム１００の機能構成を例示する図であり、放射線撮影システムは、放射線発生装置１１および放射線撮影装置１０を有する。
【００１３】
エネルギーサブトラクション法による撮影を実施する場合、１枚のサブトラクション画像を生成するために異なる放射線エネルギーで撮影された複数の放射線画像が必要となる。異なる放射線エネルギーで撮影された複数の放射線画像を取得するために、放射線撮影システム１００の放射線撮影装置１０は、１フレームの撮影期間に複数回のサンプリングを行い、１回の放射線の照射で、高エネルギーの放射線による画像（高エネルギー画像）と低エネルギーの放射線による画像（低エネルギー画像）を生成する。これにより、放射線撮影装置１０は、フレーム毎に複数のエネルギー画像、例えば、高エネルギー画像と低エネルギー画像とを１フレーム期間で取得できる。
【００１４】
本実施形態の放射線撮影装置１０は、機能構成として、放射線撮影部１０１、画像取得部１０２、物質分解部１０３、画像生成部１０４、フレーム抽出部１０５、画像通信部１０６及び表示制御部１０７を有する。
【００１５】
放射線撮影装置１０において、放射線撮影部１０１は、例えば、フラットパネルディテクタ（ＦＰＤ）を有し、放射線発生装置１１から照射された放射線を受けて放射線のエネルギー強度分布情報としての放射線画像の撮影を行う。
【００１６】
放射線撮影部１０１は、ユーザインタフェース（ＵＩ）を有する表示制御部１０７から撮影開始指示を受信すると、放射線発生装置１１により一定間隔で照射された放射線を受けて、放射線画像を撮影する。
【００１７】
放射線撮影部１０１は、放射線発生装置１１から照射された放射線に基づいて、複数の放射線分布情報を蓄積可能である。例えば、サンプリングホールド信号を制御して、放射線の照射開始から第１のサンプリング時間に蓄積された放射線分布情報（ＸＬ）をサンプリングホールドし、第１のサンプリング時間よりも長い第２のサンプリング時間に蓄積された放射線分布情報（ＸＨ）をサンプリングホールドする。
【００１８】
すなわち、一回の放射線照射で異なる２つのエネルギー（ＸＬ，ＸＨ）が蓄積される。エネルギーＸＬはエネルギーＸＨよりも低い放射線のエネルギーであり、低エネルギー画像を生成するために使われ、エネルギーＸＨは高エネルギー画像を生成するため使われる。１フレームの撮影期間に複数回のサンプリングを行うことで、フレーム毎に複数のエネルギー画像、例えば、高エネルギー画像と低エネルギー画像とを取得できる。
【００１９】
放射線撮影部１０１は、放射線動画（放射線画像）の１フレームを生成するために、フレーム毎に複数のエネルギー画像として、例えば、高エネルギー画像と低エネルギー画像を撮影し、撮影した放射線画像（低エネルギー画像、高エネルギー画像）を画像取得部１０２に出力する。
【００２０】
画像取得部１０２は、放射線撮影部１０１で生成された放射線画像を画像毎に取得する。例えば、２つの異なる放射線エネルギーで放射線撮影を行っている場合は、１フレーム生成用に、高エネルギー画像と低エネルギー画像とを取得し、取得した画像（高エネルギー画像及び低エネルギー画像）を物質分解部１０３に出力する。
【００２１】
放射線の各エネルギーレベルに対応する各物質の減弱係数は既知であるため、既知の減弱係数を用いて、物質分解部１０３は、エネルギーサブトラクション法により、高エネルギー画像２１と低エネルギー画像２２から２つの方程式を立て、解を求めることによって、実効原子番号と面密度を求めることが出来る。ここで、実効原子番号とは、元素、化合物、混合物の構成元素を平均的に見た場合に相当する原子番号を示し、その物質と同じ割合で光子の減弱をする仮想の元素の原子番号を示す定量指標である。
【００２２】
図３（Ａ）は、物質分解部１０３での物質識別画像の生成に利用される物質の実効原子番号（データテーブル）を例示する図である。また、図３（Ｂ）は、各物質の減弱係数（質量減弱係数）と放射線のエネルギー成分（単一波長）との対応関係（データ線図）を例示する図である。図３（Ａ）、図３（Ｂ）の対応関係（データテーブル、データ線図）を示す情報を、放射線撮影装置１０の記憶部１０９（内部メモリ）に事前に保存しておき、エネルギーサブトラクション法の物質弁別処理を実行する際に、図３（Ａ）のデータテーブルを参照することで、物質を弁別することができる。
【００２３】
物質分解部１０３（生成部）は、異なる放射線のエネルギーで撮影した放射線画像に含まれる複数の物質についての分布を示す物質識別画像を生成する。物質分解部１０３は、エネルギーサブトラクション法の物質弁別処理により取得した実効原子番号と面密度から、実効原子番号に対応した特定物質の分布を示す物質識別画像を生成し、生成した物質識別画像を画像生成部１０４及びフレーム抽出部１０５に出力する。尚、物質識別画像は、物質の実効原子番号又は面密度に基づいて生成されてもよい。
【００２４】
画像生成部１０４は、物質識別画像に基づいて、診断用の画像を生成する。すなわち、画像生成部１０４は、複数の物質のそれぞれについて生成した物質識別画像に基づいて、表示処理画像（診断用の画像）を生成する。画像生成部１０４は、放射線の一つのエネルギー成分に基づいて、複数の物質のうち特定の物質を強調する画像を表示処理画像（診断用の画像）として生成する。ここで、表示処理画像には、以下に説明する仮想単色放射線画像が含まれる。放射線発生装置１１から照射される放射線は、複数のエネルギー成分を含んでいるが、画像生成部１０４は、複数のエネルギー成分のうち、いずれか一つのエネルギー成分に基づく放射線画像（仮想単色放射線画像）を、物質識別画像に基づいて生成する。
【００２５】
放射線のエネルギー成分（単一波長）が選択された場合、選択されたエネルギー成分（単一波長）に対応する各物質の減弱係数を図３（Ｂ）のデータ線図から取得することができる。放射線の各エネルギー成分に対応する物質の減弱係数は既知であるため（図３（Ｂ））、既知の減弱係数と、取得された物質識別画像とを組み合せることで、任意のエネルギー成分における画素値の分布が求められる。画像生成部１０４は、任意のエネルギー成分における画素値の分布を示す画像を、仮想の単色放射線で照射した場合の仮想単色放射線画像として生成することができる。
【００２６】
仮想単色放射線画像を生成する際のエネルギー成分は任意に選択可能であるが、例えば、画像生成部１０４は、操作者により設定されたエネルギー成分に対応する減弱係数と物質識別画像とを組み合せることで、設定されたエネルギー成分における画素値の分布を取得して、診断用の画像（仮想単色放射線画像）として生成することが可能である。
【００２７】
操作者は検査・診断の目的に応じて特定のエネルギー成分の画像を見慣れているため、操作者が設定したエネルギー成分に対応した診断用の画像（仮想単色放射線画像）を生成することで、より操作者に対して見やすい画像表示を提供することが可能になる。
【００２８】
放射線吸収率がピークを示す放射線のエネルギー成分は物質毎に異なるため、特定物質の放射線吸収率が最大となるエネルギー成分の単色放射線画像を作成することで弁別された特定物質が強調された診断用の画像を生成することができる。図３（Ｂ）のデータ線図に基づいて、特定の物質を強調するようなエネルギー成分に対応する減弱係数を取得し、取得した減弱係数と物質識別画像とを組み合せることで、特定の物質を強調するエネルギー成分における画素値の分布を取得して、診断用の画像（仮想単色放射線画像）として生成することができる。
【００２９】
放射線撮影装置１０の記憶部１０９（内部メモリ）において、図３（Ａ）、図３（Ｂ）の対応関係（データテーブル、データ線図）を示す情報を記憶しておき、物質弁別処理においてデータテーブル（図３（Ａ））を参照することで各物質の弁別ができ、データ線図（図３（Ｂ）を参照することで、任意のエネルギー成分に対応する仮想単色放射線画像を生成することが可能である。
【００３０】
尚、物質分解部１０３及び画像生成部１０４は、データテーブル、データ線図の対応関係を、画像通信部１０６を介した外部機器との通信により取得して、物質の弁別及び仮想単色放射線画像を生成することも可能である。
【００３１】
診断用の画像は仮想単色放射線画像に限られず、画像生成部１０４は、診断用の画像として、前述した高エネルギー画像と低エネルギー画像の画素値を平均化した画像（平均エネルギー画像）を生成することも可能である。
【００３２】
画像生成部１０４は、生成した診断用の画像（仮想単色放射線画像または平均エネルギー画像）を表示制御部１０７に出力する。
【００３３】
フレーム抽出部１０５（抽出部）は、物質識別画像を構成する各フレームについて、特定の物質に関する統計情報を求め、統計情報に基づいてフレームを抽出する。例えば、フレーム抽出部１０５は、物質識別画像を構成する各フレームについて、特定の物質が含まれる割合を示す統計情報（例えば、各物質の含有率など）を求め、統計情報が一定以上の割合となるフレームを、物質識別画像に基づいて生成した表示処理画像を構成するフレームから抽出した抽出画像を生成する。フレーム抽出部１０５は、表示処理画像を構成するフレームから、統計情報が一定以上の割合となるフレームに対応するフレームを抽出して抽出画像を生成する。
【００３４】
尚、統計情報については、物質識別画像に基づいて、各物質の含有率を取得する他、エネルギーサブトラクション法の物質弁別処理により得られた実効原子番号の分布を示す画像を用いることも可能である。例えば、各フレームにおいて、実効原子番号で特定される物質がフレームを占める割合（含有率）を求めてもよい。
【００３５】
フレーム抽出部１０５は、物質識別画像に基づいて、フレーム抽出に用いる統計情報を取得し、取得した統計情報に基づいて、診断用の画像（仮想単色放射線画像または平均エネルギー画像）からフレームを抽出する。フレーム抽出部１０５は、物質分解部１０３から取得した物質識別画像から、例えば、輝度や濃度を示す画素値の情報を統計情報として取得し、統計情報と閾値との比較により、指定された物質の統計情報が閾値以上含まれるフレームを特定する。
【００３６】
また、フレーム抽出部１０５は、物質識別画像に基づいて特定したフレームと同じフレーム番号のフレームを、画像生成部１０４から取得した診断用の画像（仮想単色放射線画像、または、平均エネルギー画像）からを抽出し、ＤＩＣＯＭ（Digital Imaging and COmmunications in Medicine）で規定されているマルチフレーム画像をＤＩＣＯＭ画像として生成する。フレーム抽出部１０５は、統計情報が一定以上の割合となるフレームを、物質識別画像に基づいて生成した表示処理画像を構成するフレームから抽出した抽出画像に基づいて、ＤＩＣＯＭ規格に基づいたＤＩＣＯＭ画像（保存画像）を生成する。フレーム抽出部１０５は、表示処理画像を構成するフレームから、統計情報が一定以上の割合となるフレームに対応するフレームを抽出して抽出画像を生成する。
【００３７】
画像通信部１０６は、ネットワークを介して外部機器と通信可能に構成されており、フレーム抽出部１０５で抽出されたフレームの情報や、生成されたＤＩＣＯＭ画像をＰＡＣＳ（Picture Archive and Communication System）１２に送信する。検査終了など、表示制御部１０７からの操作者の指示が画像通信部１０６に入力されると、画像通信部１０６は、フレーム抽出部１０５からフレーム抽出されたＤＩＣＯＭ画像を取得し、ＤＩＣＯＭ規格に準拠したプロトコルでＰＡＣＳ１２に送信する。画像通信部１０６は、例えば、被検体の情報や撮影条件等の情報を、ＤＩＣＯＭ画像の付帯情報としてＰＡＣＳ１２に送信することも可能である。
【００３８】
ＰＡＣＳ１２は、画像通信部１０６からＤＩＣＯＭ画像ファイルを受信して保存し、ＤＩＣＯＭ画像を診断用に表示することが可能である。放射線画像において注目する特定の物質が含まれているフレームを抽出した画像を保存用のデータとしてＰＡＣＳ１２に送信することで、保存時のデータ量を節約するとともに、特定位置の画素情報（例えば、輝度や濃度などの画素値）の変化の計測結果によらず、放射線画像において注目する物質が閾値以上含まれているフレームを、精度よく抽出することが可能になる。
【００３９】
表示制御部１０７は、放射線画像を表示部に表示するための表示制御を行う。表示制御部１０７は画像生成部１０４から、診断用の画像について画像生成の完了を示す生成通知が入力されると、表示制御部１０７は、画像生成部１０４から診断用の画像（仮想単色放射線画像、または、平均エネルギー画像）を取得し、表示部に表示する。尚、表示部は、放射線撮影装置１０の構成として設けてもよく、放射線撮影装置１０の外部構成としてもよい。
【００４０】
（処理シーケンス）
図２は、第１実施形態における放射線画像の撮影からＤＩＣＯＭ規格に対応した画像（ＤＩＣＯＭ画像）を生成するまでの処理の流れを示すシーケンス図である。このシーケンス図では、放射線撮影部１０１で撮影された複数の異なるエネルギー画像が複数の物質識別画像に分解され、診断用の画像（この例では、仮想単色放射線画像）が生成され、ＰＡＣＳ１２へ出力するためのＤＩＣＯＭ画像が生成されるまでの処理の流れを示している。
【００４１】
ステップＳ２０１において、放射線撮影部１０１は、放射線画像の１フレームを生成するために、フレーム毎に複数のエネルギー画像として、高エネルギー画像２１と低エネルギー画像２２を撮影し、撮影した高エネルギー画像２１及び低エネルギー画像２２を画像取得部１０２に出力する。
【００４２】
ステップＳ２０２において、画像取得部１０２は、放射線撮影部１０１で撮影された高エネルギー画像２１及び低エネルギー画像２２を取得して、物質分解部１０３に取得した複数のエネルギー画像を出力する。
【００４３】
ステップＳ２０３において、物質分解部１０３は、エネルギーサブトラクション法により、高エネルギー画像２１と低エネルギー画像２２から物質識別画像の生成を行う。例えば、物質分解部１０３は、水、骨、脂肪など人体を構成する各物質についての物質識別画像（各物質についての物質識別画像を総称して、以下「人体密度画像２３」という）や、血管に注入された造影剤についての物質識別画像（例えば、造影剤密度画像２４）を生成する。人体密度画像２３と造影剤密度画像２４は、表示処理２００１とフレーム抽出処理２００２で利用される。
【００４４】
図２において、表示処理２００１は、物質識別画像に基づいて、診断用の画像を生成し、生成した画像を表示する処理である。また、フレーム抽出処理２００２は、物質識別画像に基づいて、特定物質が含まれるフレームを抽出し、抽出したフレームに基づいてＤＩＣＯＭ画像を生成する処理である。
【００４５】
（表示処理２００１）
まず、表示処理２００１のステップＳ２０４において、物質分解部１０３は、生成した人体密度画像２３と造影剤密度画像２４を画像生成部１０４に出力する。
【００４６】
次に、ステップＳ２０５において、画像生成部１０４は、診断用の画像として、仮想単色放射線画像２５を生成する。高エネルギー画像２１と低エネルギー画像２２が、物質識別画像である人体密度画像２３と造影剤密度画像２４に弁別されれば、人体を構成する各物質や造影剤の実効原子番号や減弱係数は既知であるので、減弱係数に対応する放射線のエネルギー成分（単一波長）について、仮想単色放射線画像２５を生成できる。
【００４７】
次に、ステップＳ２０６において、画像生成部１０４が表示制御部１０７に画像の生成通知を行う。画像生成部１０４は、診断用の画像の生成処理が完了すると画像生成の完了を示す生成通知を表示制御部１０７に出力する。
【００４８】
次に、ステップＳ２０７では、表示制御部１０７が画像生成部１０４から仮想単色放射線画像２５を取得し、表示する。本ステップでは、画像生成部１０４から、診断用の画像について画像生成の完了を示す生成通知が入力されると、表示制御部１０７は、画像生成部１０４から診断用の画像（仮想単色放射線画像、または、平均エネルギー画像）を取得し、表示部に表示する。
【００４９】
（フレーム抽出処理２００２）
まず、フレーム抽出処理２００２のステップＳ２０８において、物質分解部１０３は、生成した物質識別画像（例えば、人体密度画像２３と造影剤密度画像２４）をフレーム抽出部１０５に送信する。
【００５０】
次に、ステップＳ２０９において、フレーム抽出部１０５はフレーム抽出処理を実行する。本ステップでは、フレーム抽出部１０５は、物質識別画像に基づいて、フレーム抽出に用いる統計情報を取得し、取得した統計情報に基づいて、フレームを抽出する。フレーム抽出部１０５は、物質識別画像から取得した統計情報と閾値との比較により、指定された物質の統計情報が閾値以上含まれるフレームを特定する。
【００５１】
次に、ステップＳ２１０において、フレーム抽出部１０５は、画像生成部１０４から仮想単色放射線画像２５を取得し、ＤＩＣＯＭ画像を作成する。フレーム抽出部１０５は、物質識別画像に基づいて特定したフレームと同じフレーム番号のフレームを、画像生成部１０４から取得した診断用の画像（例えば、仮想単色放射線画像）から取得し、ＤＩＣＯＭで規定されているマルチフレーム画像をＤＩＣＯＭ画像として生成する。
【００５２】
図４は、第１実施形態におけるフレーム抽出部１０５のフレーム抽出処理２００２の流れを示す図である。
【００５３】
物質分解部１０３は、生成した物質識別画像（人体密度画像２３と造影剤密度画像２４）をフレーム抽出部１０５に送信し、フレーム抽出部１０５は以下の処理の流れによりフレーム抽出処理を実行する。
【００５４】
まず、ステップＳ４０１において、フレーム抽出部１０５は、物質分解部１０３から得られた物質識別画像から、フレームごとに、抽出対象の物質がどれくらい含まれるかを計測する。具体的には、フレーム抽出部１０５は、放射線が照射された照射野内の物質識別画像の画素値の合計を計算する。ここで、画素値は０．０から１．０の値であり、その物質がフレームに含まれていなければ画素値は０．０であり、物質がフレームに含まれていれば、画素値は０．０より大きく、１．０以下の値となる。そして、フレームにおける画素値の合計値も、その物質が多く含まれているほど大きくなる。すなわち、物質識別画像のフレームの画素値は、その物質がフレームに多く含まれているほど大きくなる。
【００５５】
ステップＳ４０２において、フレーム抽出部１０５は、物質識別画像から、フレームごとに、放射線が照射された照射野内の物質識別画像の画素値の合計を、照射野の画素数で除算した結果を統計情報として取得する。フレーム抽出部１０５は、ステップＳ４０１で得られた、フレームにおける画素値の合計を照射野の画素数で除算し、各物質の統計情報（抽出対象の物質の含有率）を計算する。画素数を合計した値をそのまま扱わず、照射野の画素数で除算した含有率を算出することで、放射線撮影部１０１の解像度が異なる場合にも対応することが可能になる。
【００５６】
次に、ステップＳ４０３において、フレーム抽出部１０５は、抽出対象として指定された物質、例えば、造影剤などの統計情報と閾値との比較により、指定された物質の統計情報が閾値以上含まれるフレームを特定する。フレーム抽出部１０５は、物質の含有率が一定の閾値以上含まれるフレームを抽出し、一定の閾値以上含まれる一連のフレームにより定まる範囲をフレームの抽出範囲として設定する。フレーム抽出部１０５は、抽出範囲に含まれるフレームに基づいて、抽出範囲のフレームリストを生成する。
【００５７】
ステップＳ４０４において、フレーム抽出部１０５は、物質識別画像に基づいて生成した表示処理画像を取得する。例えば、フレーム抽出部１０５は、表示処理画像として、画像生成部１０４で生成された仮想単色放射線画像２５を取得する。
【００５８】
次に、ステップＳ４０５において、フレーム抽出部１０５は、ステップＳ４０３で生成した抽出範囲のフレームリストに対応する仮想単色放射線画像のフレームを抽出し、抽出範囲毎にＤＩＣＯＭで規定されているマルチフレーム画像をＤＩＣＯＭ画像として生成する。抽出範囲のフレームリストには、フレームを特定するフレーム情報として、放射線画像におけるフレーム番号の情報が含まれており、フレーム抽出部１０５は、物質識別画像に基づいて特定したフレームと同じフレーム番号のフレームを、診断用の画像（仮想単色放射線画像）から取得し、取得したフレームに基づいてＤＩＣＯＭ画像を生成する。例えば、放射線画像において、抽出範囲の数が複数であれば、フレーム抽出部１０５は、各抽出範囲について複数のＤＩＣＯＭ画像を生成する。
【００５９】
そして、フレーム抽出部１０５は、放射線画像と、放射線画像に対する物質ごとの抽出範囲を示すインデックス情報とを、組み合せて記憶部１０９に記憶する。このインデックス情報を参照することにより、放射線画像において、物質ごとにフレームを抽出する範囲を検索し、記憶部１０９に記憶されている放射線画像に基づいて診断用の画像を再度生成することが可能になる。
【００６０】
図５は、図４のステップＳ４０３における、フレームの抽出範囲の決定方法を説明する図である。図５において、横軸は時間であり、各フレームにおける抽出対象の物質の含有率をハッチングで示している。例えば、フレーム５０１は、抽出対象の物質の含有率が閾値以上であることを示している。
【００６１】
フレーム抽出部１０５は、物質識別画像を構成するフレームから、統計情報が一定の閾値以上含まれるフレームを抽出し、閾値以上となる一連のフレームを抽出範囲として設定する。そして、フレーム抽出部１０５は、抽出範囲に対応するフレームを、表示処理画像を構成するフレームから抽出する。まず、フレーム抽出部１０５は、物質の統計情報（抽出対象の物質の含有率）が閾値以上含まれるフレームを特定する。フレーム抽出部１０５は、物質の含有率が一定の閾値以上含まれるフレームを抽出し、閾値以上となる一連のフレームを抽出範囲とする。図５のような含有率の分布である場合、抽出範囲５０２と抽出範囲５０３が抽出され、フレーム抽出部１０５は、抽出範囲に含まれるフレームに基づいて、抽出範囲のフレームリストを生成し、保持する。閾値を超えていないフレームは抽出されない。
【００６２】
本実施形態によれば、放射線画像において注目する物質が含まれているフレームを抽出することができる。エネルギーサブトラクション法の物質弁別技術を利用し、事前に指定した物質の統計情報（抽出対象の物質の含有率）をフレームごとに取得し、閾値以上のフレームを診断に必要なフレームとして抽出し、抽出したフレームに基づく画像を保存用のデータとしてＰＡＣＳに送信することで、保存時のデータ量を節約するとともに、特定位置の画素情報（例えば、輝度や濃度などの画素値）の変化の計測結果によらず、放射線画像において注目する物質が閾値以上含まれているフレームを、精度よく抽出することが可能になる。
【００６３】
（第２実施形態）
第１実施形態では、物質の統計情報（抽出対象の物質の含有率）が閾値以上含まれる一連のフレームを抽出範囲として特定したが、本実施形態では、放射線動画（放射線画像）のフレームのうち、物質の統計情報（抽出対象の物質の含有率）が閾値以上となる最初のフレームと、最後のフレームとで定められる範囲を抽出範囲として特定する構成を説明する。
【００６４】
第２実施形態における放射線撮影システム１００の構成は第１実施形態（図１）と同様である。第２実施形態では、フレーム抽出部１０５は、以下の図６に示す処理の流れで処理を行う。図６は、第２実施形態におけるフレーム抽出部１０５のフレーム抽出処理２００２の流れを示す図であり、フレーム抽出処理２００２は第１実施形態の図２で説明した処理シーケンスに対応する処理である。
【００６５】
ステップＳ６０１において、フレーム抽出部１０５は、物質分解部１０３から得られた物質識別画像から、フレームごとに、抽出対象の物質がどれくらい含まれるかを計測する。フレーム抽出部１０５は、放射線が照射された照射野内の物質識別画像の画素値の合計を計算する。ここで、画素値は０．０から１．０の値であり、その物質がフレームに含まれていなければ画素値は０．０であり、物質がフレームに含まれていれば、画素値は０．０より大きく、１．０以下の値となる。
【００６６】
ステップＳ６０２において、フレーム抽出部１０５は、ステップＳ６０１で得られた、フレームにおける画素値の合計を照射野の画素数で除算し、各物質の統計情報（抽出対象の物質の含有率）を計算する。
【００６７】
次に、ステップＳ６０３において、フレーム抽出部１０５は、抽出対象として指定された物質の統計情報（抽出対象の物質の含有率）と閾値との比較により、指定された物質の統計情報が閾値以上含まれるフレームを特定する。フレーム抽出部１０５は、物質の含有率が一定の閾値以上含まれるフレームを抽出し、抽出したフレームに基づいてフレームリストを生成する。
【００６８】
ステップＳ６０４において、フレーム抽出部１０５は、フレームリストの最初のフレーム番号と最後のフレーム番号により定まる範囲を一つの抽出範囲として設定する。すなわち、フレーム抽出部１０５は、ステップＳ６０３で生成したフレームリストから、最初のフレーム番号と最後のフレーム番号とを特定し、最初のフレーム番号と、最後のフレーム番号とにより定まるフレーム間の範囲を一つの抽出範囲として設定する。そして、フレーム抽出部１０５は、抽出範囲内の全てのフレームを抽出対象のフレームとして設定する。本ステップでは、抽出範囲において、物質の統計情報（抽出対象の物質の含有率）が閾値未満であっても、抽出対象のフレームとして設定される。
【００６９】
ステップＳ６０５において、フレーム抽出部１０５は、物質識別画像に基づいて生成した表示処理画像を取得する。例えば、フレーム抽出部１０５は、表示処理画像として、画像生成部１０４で生成された仮想単色放射線画像２５を取得する。
【００７０】
そして、ステップＳ６０６において、フレーム抽出部１０５は、ステップＳ６０４で設定された抽出範囲のフレームに対応する仮想単色放射線画像のフレームを抽出し、ＤＩＣＯＭで規定されているマルチフレーム画像をＤＩＣＯＭ画像として生成する。フレーム抽出部１０５は、設定された抽出範囲のフレームと同じフレーム番号のフレームを、診断用の画像（仮想単色放射線画像）から取得し、取得したフレームに基づいてＤＩＣＯＭ画像を生成する。
【００７１】
第１実施形態では、放射線画像において、抽出範囲の数が複数であれば、フレーム抽出部１０５は、各抽出範囲について複数のＤＩＣＯＭ画像を生成したが、本実施形態では、フレーム抽出部１０５は、放射線画像のフレームのうち、物質の統計情報（抽出対象の物質の含有率）が閾値以上となる最初のフレームと、最後のフレームとで定められる範囲を一つの抽出範囲とし、抽出範囲内のフレームに基づいて一つのＤＩＣＯＭ画像を生成する。
【００７２】
図７は、図６のステップＳ６０４における、フレームの抽出範囲の決定方法を説明する図である。図７において、横軸は時間であり、各フレームにおける抽出対象の物質の含有率をハッチングで示している。フレーム抽出部１０５は、物質識別画像を構成するフレームのうち、統計情報が閾値以上となる最初のフレームと、閾値以上となる最後のフレームとにより定まる範囲を一つの抽出範囲として設定する。フレーム抽出部１０５は、抽出範囲に対応するフレームを、表示処理画像を構成するフレームから抽出する。例えば、図７のような統計情報（抽出対象の物質の含有率）の分布である場合、閾値以上となる最初のフレーム７０１を始点、閾値以上となる最後のフレーム７０２を終点とした抽出範囲７０３が一つの抽出範囲として設定される。すなわち、統計情報（抽出対象の物質の含有率）が閾値以上となる最初のフレーム７０１のフレーム番号（最初のフレーム番号）と、閾値以上となる最後のフレーム７０２のフレーム番号（最後のフレーム番号）とにより定まるフレーム間の範囲を一つの抽出範囲７０３として設定する。
【００７３】
フレーム抽出部１０５は、抽出範囲７０３内の全てのフレームを抽出対象のフレームとして設定し、抽出範囲７０３において、物質の統計情報（抽出対象の物質の含有率）が閾値未満であっても、抽出対象のフレームとして抽出される。
【００７４】
本実施形態によれば、放射線画像において注目する物質が含まれているフレームを抽出することができる。エネルギーサブトラクション法の物質弁別技術を利用し、事前に指定した物質の統計情報（抽出対象の物質の含有率）をフレームごとに取得し、放射線画像のフレームのうち、物質の統計情報（抽出対象の物質の含有率）が閾値以上となる最初のフレームと、最後のフレームとで定められる範囲を抽出範囲とし、抽出対象となるフレーム間の連続性を維持しつつ抽出したフレームに基づく画像を保存用のデータとしてＰＡＣＳ１２に送信することで、保存時のデータ量を節約するとともに、特定位置の画素情報の変化の計測結果によらず、放射線画像において注目する物質が閾値以上含まれているフレームを、精度よく抽出することが可能になる。
【００７５】
（第３実施形態）
第１実施形態、第２実施形態では、エネルギーサブトラクション法の物質弁別技術を利用して、特定の物質の統計情報（抽出対象の物質の含有率）が閾値以上となる条件に基づいてフレームを抽出する構成について説明した。第３実施形態では、放射線画像に含まれる複数の物質の情報を表示部に表示させ、フレームを抽出する特定の物質を指定する構成について説明する。
【００７６】
図８は、第３実施形態における放射線撮影システム１００の機能構成を例示する図であり、放射線発生装置１１および放射線撮影装置１０を有する放射線撮影システム１００の構成は第１実施形態（図１）と同様であり、放射線撮影装置１０（図１）と同様の機能ブロックには、同一の参照番号を付している。
【００７７】
図９は、第３実施形態における表示制御部８０１が表示制御を行う表示部の構成を例示する図である。表示制御部８０１は、表示処理画像（診断用の画像）を表示する画像表示エリア９０１と、各フレームにおける統計情報を放射線画像の撮影時間に合わせてグラフ表示するタイムライン表示エリア９０２と、を表示部に表示させる。表示制御部８０１は、画像生成部１０４から、診断用の画像について画像生成の完了を示す生成通知が入力されると、画像生成部１０４から診断用の画像（仮想単色放射線画像、または、平均エネルギー画像）を取得し、表示部の画像表示エリア９０１（図９）に表示する表示制御を行う。
【００７８】
また、表示制御部８０１は、フレーム抽出部１０５から、フレームごとに各物質の統計情報（抽出対象の物質の含有率）と、フレームの抽出範囲の情報を取得し、取得した情報を表示部のタイムライン表示エリア９０２（図９）に表示する表示制御を行う。タイムライン表示エリア９０２は、表示制御部８０１の制御に基づいて、それぞれの物質のフレームごとの統計情報（抽出対象の物質の含有率）を表示し、操作者がフレーム抽出のために抽出対象の物質を指定することができるユーザーインターフェースとして機能する。タイムライン表示エリア９０２では操作者がフレームを抽出する物質を指定することができ、指定された物質を示す指定統計情報をフレーム抽出部１０５へ送信する。このタイムライン表示エリア９０２は、物質リスト表示部９０３と、統計情報グラフ表示部９０４と、フレーム抽出範囲表示部９０５と、再生位置表示部９０６を含む。
【００７９】
フレーム抽出部１０５は、物質識別画像を構成する各フレームについて、表示制御部８０１により指定された特定の物質に関する統計情報を求め、統計情報に基づいてフレームを抽出する。例えば、フレーム抽出部１０５は、物質識別画像を構成する各フレームについて、指定された特定の物質が含まれる割合を示す統計情報（例えば、各物質の含有率など）を求め、統計情報が一定以上の割合となるフレームを、物質識別画像に基づいて生成した表示処理画像を構成するフレームから抽出した抽出画像を生成する。フレーム抽出部１０５は、表示処理画像を構成するフレームから、統計情報が一定以上の割合となるフレームに対応するフレームを抽出して抽出画像を生成する。
【００８０】
物質リスト表示部９０３は、物質の名称を示す物質名リストと、抽出対象の物質を指定する物質指定部とを有する。表示制御部８０１は、物質リスト表示部９０３に、フレーム抽出部１０５から取得した物質の物質名リストを表示する。物質リスト表示部９０３には、抽出対象の物質を指定する物質指定部として、チェックボックスが表示されており、操作者がチェックボックスに入力をすると、入力された物質がフレームの抽出対象の物質として指定される。表示制御部８０１は、指定された物質を示す指定統計情報をフレーム抽出部１０５へ送信する。フレーム抽出部１０５は、物質指定部で指定された物質ついて、フレームの抽出範囲を取得し、表示処理画像（診断用の画像）を構成するフレームから抽出範囲に対応するフレームを抽出した抽出画像を生成する。
【００８１】
表示制御部８０１は、統計情報グラフ表示部９０４に、フレーム抽出部１０５から取得した各物質の統計情報（抽出対象の物質の含有率）のグラフを表示する。表示制御部８０１は、物質の名称を示す物質名リストと、抽出対象の物質を指定する物質指定部とを、統計情報グラフ表示部９０４のグラフ表示に対して並べて表示させる。このような表示制御により、操作者は、各物質名と統計情報（抽出対象の物質の含有率）のグラフとを視覚的に対応付けて把握することが可能になる。
【００８２】
また、表示制御部８０１は、統計情報グラフ表示部９０４のグラフ表示に、統計情報が一定以上の割合となるフレームの抽出範囲の表示を重ねて表示させる。すなわち、表示制御部８０１は、フレーム抽出部１０５から取得したフレームの抽出範囲（フレーム抽出範囲表示部９０５）を、統計情報グラフ表示部９０４のグラフ表示上に表示する。図９において、フレーム抽出範囲表示部９０５はハッチングで示されており、このような表示制御により、操作者は、全体のフレームにおける抽出範囲の分布を視覚により識別することが可能になる。
【００８３】
タイムライン表示エリア９０２の再生ボタン９２０を操作者が押下すると、表示制御部８０１は、画像表示エリア９０１に表示している診断用の画像の動画再生を行い、停止ボタン９３０を操作者が押下すると動画再生を停止するように表示制御を行うことが可能である。表示制御部８０１は、画像表示エリア９０１に表示されている画像の再生位置を示す再生位置表示部９０６を、各統計情報（抽出対象の物質の含有率）のグラフに対して並べて表示する。このような表示制御により、画像の再生位置と、各物質の含有率との関係を視覚的に対応付けて把握することが可能になる。例えば、特定物質の統計情報（抽出対象の物質の含有率）に着目した場合、操作者は、どのフレーム（範囲）を再生すべきかを迅速に特定することが可能になる。
【００８４】
図１０は、第３実施形態におけるフレーム抽出部１０５のフレーム抽出処理の流れを示す図である。ステップＳ１００１において、フレーム抽出部１０５は、物質分解部１０３から得られた物質識別画像から、フレームごとに、抽出対象の物質がどれくらい含まれるかを計測する。フレーム抽出部１０５は、放射線が照射された照射野内の物質識別画像の画素値の合計を計算する。ここで、画素値は０．０から１．０の値であり、その物質がフレームに含まれていなければ画素値は０．０であり、物質がフレームに含まれていれば、画素値は０．０より大きく、１．０以下の値となる。
【００８５】
ステップＳ１００２において、フレーム抽出部１０５は、ステップＳ１００１で得られた、フレームにおける画素値の合計を照射野の画素数で除算し、各物質の統計情報（抽出対象の物質の含有率）を計算する。
【００８６】
ステップＳ１００３において、フレーム抽出部１０５は、エネルギーサブトラクション法により物質分解部１０３で分解された各物質の名称を示す物質名リスト、各物質の統計情報（抽出対象の物質の含有率）、各物質について求めた抽出範囲のフレームリストを表示制御部８０１に送信する。
【００８７】
ここで、フレーム抽出部１０５は、物質の含有率が一定の閾値以上含まれるフレームを抽出し、閾値以上となる一連のフレームを抽出範囲とすることが可能である。また、フレーム抽出部１０５は、統計情報（抽出対象の物質の含有率）が閾値以上となる最初のフレームのフレーム番号と、閾値以上となる最後のフレームのフレーム番号とにより定まる範囲を一つの抽出範囲として設定することも可能である。フレーム抽出部１０５は、各物質について抽出範囲を取得し、取得した抽出範囲に含まれるフレームのフレームリストを表示制御部８０１に送信する。
【００８８】
表示制御部８０１は、フレーム抽出部１０５から取得した情報に基づいて、タイムライン表示エリア９０２における表示制御を行う。タイムライン表示エリア９０２では操作者がフレームを抽出する物質を指定することが可能であり、表示制御部８０１は、指定された物質を示す指定統計情報をフレーム抽出部１０５へ送信する。
【００８９】
次に、ステップＳ１００４において、フレーム抽出部１０５は、表示制御部８０１から受信した指定統計情報に対応する物質を、抽出対象の物質として特定する。フレーム抽出部１０５は、指定された物質について、抽出範囲のフレームリストを取得する。
【００９０】
ステップＳ１００５において、フレーム抽出部１０５は、物質識別画像に基づいて生成した表示処理画像を取得する。例えば、フレーム抽出部１０５は、表示処理画像として、画像生成部１０４で生成された仮想単色放射線画像２５を取得する。
【００９１】
そして、ステップＳ１００６において、フレーム抽出部１０５は、ステップＳ１００４で取得した抽出範囲のフレームリストに対応する仮想単色放射線画像のフレームを抽出し、ＤＩＣＯＭで規定されているマルチフレーム画像をＤＩＣＯＭ画像として生成する。フレーム抽出部１０５は、設定された抽出範囲のフレームと同じフレーム番号のフレームを、診断用の画像（仮想単色放射線画像）から取得し、取得したフレームに基づいてＤＩＣＯＭ画像を生成する。
【００９２】
本実施形態によれば、放射線画像において注目する物質が含まれているフレームを抽出することができる。
【００９３】
また、エネルギーサブトラクション法の物質弁別技術を利用して、画面表示された各物質の統計情報（抽出対象の物質の含有率）等に基づき、操作者が指定した物質について、抽出範囲のフレームを診断に必要なフレームとして抽出し、抽出したフレームに基づく画像を保存用のデータとしてＰＡＣＳに送信することで、保存時のデータ量を節約することができる。また、特定位置の画素情報（例えば、輝度や濃度などの画素値）の変化の計測結果によらず、放射線画像において注目する物質が閾値以上含まれているフレームを、精度よく抽出することが可能になる。
【００９４】
（第４実施形態）
第４実施形態では、第３実施形態で説明した表示制御部８０１によるタイムライン表示エリアの表示制御について説明する。図１１は第４実施形態における表示制御部８０１が表示制御を行うタイムライン表示エリア１１００の構成例を示す図である。タイムライン表示エリア１１００は、図９のタイムライン表示エリア９０２に加えて、閾値変更部１１０１を有する。
【００９５】
閾値変更部１１０１は、統計情報（抽出対象の物質の含有率）との比較処理で使用する閾値の設定を表示するもので、表示制御部８０１は、統計情報との比較処理で使用する閾値の設定を表示する閾値変更部１１０１を表示部に表示させる。閾値変更部１１０１の表示において、表示制御部８０１は、統計情報グラフ表示部９０４のグラフ表示に、閾値変更部１１０１による閾値の設定表示を重ねて表示させる。
【００９６】
そして、表示制御部８０１は、閾値変更部１１０１の表示位置の変更に基づいて、設定されている閾値を変更する。表示制御部８０１は、マウス等の入力部を介した操作者の変更操作に基づいて、閾値変更部１１０１の表示位置を上下に変更することが可能である。閾値変更部１１０１の表示位置を変更することによって、設定されている閾値が変更される。表示制御部８０１は、現在設定されている閾値が変更されると、変更された新しい閾値をフレーム抽出部１０５に送信する。
【００９７】
フレーム抽出部１０５は、変更された閾値に基づいて、統計情報との比較処理を行い、統計情報が一定以上の割合となるフレームを、物質識別画像に基づいて生成した表示処理画像を構成するフレームから抽出した抽出画像を生成する。フレーム抽出部１０５は、表示制御部８０１から送信された閾値に基づいて、統計情報（抽出対象の物質の含有率）と、変更された閾値との比較処理を行う。フレーム抽出部１０５は、統計情報（抽出対象の物質の含有率）が、変更された閾値以上含まれるフレームを抽出し、閾値以上となる一連のフレームを抽出範囲とする。また、フレーム抽出部１０５は、統計情報（抽出対象の物質の含有率）が、変更された閾値以上となる最初のフレームのフレーム番号と、閾値以上となる最後のフレームのフレーム番号とにより定まる範囲を一つの抽出範囲として設定することも可能である。
【００９８】
フレーム抽出部１０５は、各物質について抽出範囲を取得し、取得した抽出範囲に含まれるフレームのリスト（フレームリスト）を表示制御部８０１に送信する。表示制御部８０１は、フレーム抽出部１０５から送信された抽出範囲のフレームリストに基づいて、タイムライン表示エリア９０２における抽出範囲の表示を変更する。図１１において、抽出範囲１１０２と抽出範囲１１０３は、フレーム抽出部１０５から送信された抽出範囲のフレームリストに基づいて変更された抽出範囲である。
【００９９】
本実施形態によれば、操作者による閾値の変更が可能であり、フレーム抽出の微調整が可能である。表示された閾値変更部１１０１の表示位置を変更操作することにより、閾値の設定を任意に変更することができ、変更された閾値に基づいて、統計情報（抽出対象の物質の含有率）と閾値との比較処理を行うことができる。変更した閾値と統計情報との比較により抽出範囲を変更することができる。抽出範囲の変更により診断に必要なフレームを抽出することができる。抽出したフレームに基づく画像を保存用のデータとしてＰＡＣＳ１２に送信することで、保存時のデータ量を節約することができる。
【０１００】
（第５実施形態）
第５実施形態では、第３実施形態で説明した表示制御部８０１による画像表示エリアの表示制御について説明する。図１２は第５実施形態における表示制御部８０１が表示制御を行う画像表示エリア１２００の構成例を示す図である。画像表示エリア１２００は、図９の画像表示エリア９０１に加えて、抽出エリア指定部１２０１を有する。
【０１０１】
抽出エリア指定部１２０１は、統計情報（抽出対象の物質の含有率）を算出するための画素範囲を指定する。すなわち、抽出エリア指定部１２０１は、フレーム抽出部１０５が統計情報（抽出対象の物質の含有率）を算出する際に、物質識別画像の画素値の合計を取得するための画素範囲を指定する。
【０１０２】
表示制御部８０１は、統計情報を算出するための画素範囲を指定する抽出エリア指定部１２０１を表示部に表示させ、フレーム抽出部１０５は、抽出エリア指定部１２０１で指定された画像範囲の画素値の情報に基づいて、統計情報を取得する。抽出エリア指定部１２０１の表示において、表示制御部８０１は、画像表示エリア１２００に表示されている表示処理画像（診断用の画像）に、抽出エリア指定部１２０１で指定された画素範囲を重ねて表示させる。
【０１０３】
表示制御部８０１は、マウス等の入力部を介した操作者の指定操作に基づいて、抽出エリア指定部１２０１の表示範囲を変更することが可能である。抽出エリア指定部１２０１の表示範囲を変更設定することによって、設定されている画素範囲が変更される。初期値として設定されている画素範囲は、照射野を画素範囲とするもので、抽出エリア指定部１２０１による変更設定が行われなければ、初期値の設定である照射野が画素範囲として維持される。画素値の合計をする画素範囲を操作者が指定することにより、診断に必要なフレームを抽出するための追加条件とすることができる。
【０１０４】
表示制御部８０１は、現在設定されている画素範囲が変更されると、変更された新しい画素範囲をフレーム抽出部１０５に送信する。フレーム抽出部１０５は、表示制御部８０１から送信された変更後の画素範囲に基づいて、統計情報（抽出対象の物質の含有率）を計算する。
【０１０５】
フレーム抽出部１０５は、物質識別画像から、フレームごとに、指定された画素範囲内の物質識別画像の画素値の合計を、画素範囲の画素数で除算した結果を統計情報として取得する。まず、フレーム抽出部１０５は、フレームごとに、変更後の画素範囲内の物質識別画像の画素値の合計を計算する。そして、フレーム抽出部１０５は、フレームにおける画素値の合計を画素範囲の画素数で除算し、各物質の統計情報（抽出対象の物質の含有率）を計算する。
【０１０６】
フレーム抽出部１０５は、変更後の画素範囲に基づいて算出した統計情報（抽出対象の物質の含有率）と閾値との比較結果に基づいて、フレームの抽出範囲を設定することが可能である。フレームの抽出範囲の設定方法としては、第１実施形態で説明したように、統計情報（抽出対象の物質の含有率）が閾値以上となる一連のフレームを抽出範囲とすることが可能である。また、第２実施形態で説明したように、また、統計情報（抽出対象の物質の含有率）が閾値以上となる最初のフレームのフレーム番号と、閾値以上となる最後のフレームのフレーム番号とにより定まる範囲を一つの抽出範囲として設定することも可能である。
【０１０７】
フレーム抽出部１０５は、エネルギーサブトラクション法により物質分解部１０３で分解された各物質の名称を示す物質名リスト、変更後の画素範囲に基づいて算出した各物質の統計情報（抽出対象の物質の含有率）、各物質について求めた抽出範囲のフレームリストを表示制御部８０１に送信する。表示制御部８０１は、フレーム抽出部１０５から送信された情報に基づいて、タイムライン表示エリア（図９の９０２、図１１の１１００）の表示制御を行うことが可能である。
【０１０８】
本実施形態によれば、表示された抽出エリア指定部１２０１の表示範囲を変更することにより、操作者が注目している領域について、統計情報（抽出対象の物質の含有率）を算出する際に使用する画素範囲の設定を任意に変更することができ、変更された画素範囲に基づいて算出した統計情報（抽出対象の物質の含有率）と閾値との比較処理を行うことができる。比較処理の結果により求めた抽出範囲により、操作者が注目している領域に関し、診断に必要なフレームを抽出することができる。抽出したフレームに基づく画像を保存用のデータとしてＰＡＣＳ１２に送信することで、保存時のデータ量を節約することができる。
【０１０９】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１０】
１０：放射線撮影装置、１１：放射線発生装置、１２：ＰＡＣＳ
１０１：放射線撮影部、１０２：画像取得部、１０３：物質分解部、
１０４：画像生成部、１０５：フレーム抽出部、１０６：画像通信部、
１０７、８０１：表示制御部、９０１：画像表示エリア、
９０２：タイムライン表示エリア、９０３：物質リスト表示、
９０４：含有率グラフ表示、９０５：フレーム抽出範囲表示、
９０６:再生位置表示、１１００：タイムライン表示エリア、
１１０１：閾値変更部、１１０２、１１０３：抽出範囲
１２００：画像表示エリア、１２０１：抽出エリア指定部
【図１】
2019202078.tif 000003
【図２】
2019202078.tif 000004
【図３】
2019202078.tif 000005
【図４】
2019202078.tif 000006
【図５】
2019202078.tif 000007
【図６】
2019202078.tif 000008
【図７】
2019202078.tif 000009
【図８】
2019202078.tif 000010
【図９】
2019202078.tif 000011
【図１０】
2019202078.tif 000012
【図１１】
2019202078.tif 000013
【図１２】
2019202078.tif 000014